【手続補正書】
【提出日】平成25年8月28日(2013.8.28)
【手続補正１】
【補正対象書類名】特許請求の範囲
【補正対象項目名】全文
【補正方法】変更
【補正の内容】
【特許請求の範囲】
【請求項１】
照明光学系を介して照明された被検眼からの戻り光を受ける受光手段と、
前記受光手段の受光結果に基づいて、時間的に連続する複数の測光値を取得する取得手段と、
前記取得された時間的に連続する複数の測光値が所定範囲内である場合に、前記被検眼を撮影する撮影動作を許可する制御手段と、
を有することを特徴とする眼科撮影装置。
【請求項２】
前記制御手段は、前記取得された時間的に連続する複数の測光値が所定範囲内である場合に前記被検眼を撮影する撮影が許可されたか否かを判断し、前記撮影が許可されたと判断された場合に前記被検眼を撮影する撮影動作を開始するための指示の入力に応じて前記撮影動作を開始するための指示を出力することを特徴とする請求項１に記載の眼科撮影装置。
【請求項３】
前記制御手段は、前記取得された時間的に連続する複数の測光値が所定範囲内である場合に、撮影動作許可フラグを設定することを特徴とする請求項１または２に記載の眼科撮影装置。
【請求項４】
前記取得された時間的に連続する複数の測光値が所定の範囲内の場合、該複数の測光値のうち少なくとも１つに基づいて、撮影光源の光量を決定する決定手段を更に有し、
前記制御手段は、前記決定された光量に基づいて、前記撮影光源を制御することを特徴とする請求項１ないし３の何れか１項に記載の眼科撮影装置。
【請求項５】
照明光学系を介して照明した被検眼からの戻り光を受ける受光手段と、
時間的に連続する複数の測光値を取得する取得手段と、
前記取得された時間的に連続する複数の測光値が所定の範囲内の場合、該複数の測光値のうち少なくとも１つに基づいて、撮影光源の光量を決定する決定手段と、
前記決定された光量に基づいて、前記撮影光源を制御する制御手段と、
を有することを特徴とする眼科撮影装置。
【請求項６】
前記撮影光源を制御した後に、前記受光手段の受光結果に基づいて、前記被検眼の画像を取得する画像取得手段を更に有することを特徴とする請求項４または５に記載の眼科撮影装置。
【請求項７】
前記取得手段は、観察光源から発生した観察光で照明した前記被検眼からの戻り光に基づいて、前記時間的に連続する複数の測光値を取得することを特徴とする請求項１ないし６の何れか１項に記載の眼科撮影装置。
【請求項８】
前記取得手段が、前記被検眼の観察像のリフレッシュタイミングの周期で、前記時間的に連続する複数の測光値を取得することを特徴とする請求項７に記載の眼科撮影装置。
【請求項９】
撮影開始スイッチと、
前記撮影開始スイッチからの出力に応じて、前記取得された時間的に連続する複数の測光値が所定範囲内であるか否かを判断する判断手段と、
を更に有することを特徴とする請求項１ないし８の何れか１項に記載の眼科撮影装置。
【請求項１０】
前記制御手段は、前記取得された時間的に連続する複数の測光値が所定範囲内である場合に、前記被検眼と前記受光手段を含む筺体との位置合わせを終了することを特徴とする請求項１ないし９の何れか１項に記載の眼科撮影装置。
【請求項１１】
被検眼を観察するための観察光源と被検眼を撮影するための撮影光源とを備えた眼科撮影装置であって、
前記観察光源より照明された被検眼からの観察像を受光する受光手段と、
前記受光手段により受光された観察像の測光値を算出する測光値算出手段と、
前記測光値算出手段により算出された測光値に基づいて前記撮影光源の光量を制御する撮影光源制御手段と、
検者による撮影操作に応じて、前記撮影光源制御手段により制御された前記撮影光源の光量で照明された被検眼からの撮影像を受光する撮影手段と、
前記測光値算出手段により算出された時間的に連続する複数の測光値に基づいて、前記撮影手段による撮影動作を許可するか否かを判断する撮影動作許可手段と、
を有することを特徴とする眼科撮影装置。
【請求項１２】
前記撮影動作許可手段は、前記測光値算出手段により算出された時間的に連続する少なくとも２つの測光値が所定範囲内となった場合に、撮影動作を許可することを特徴とする請求項１１に記載の眼科撮影装置。
【請求項１３】
前記撮影動作許可手段が撮影動作を一度、許可した後、前記測光値算出手段により直前の測光値に対して所定範囲を超えた測光値が算出された場合、
前記撮影光源制御手段は、前記所定範囲を超えた測光値の直前の測光値に基づいて前記撮影光源の光量を制御することを特徴とする請求項１１または１２に記載の眼科撮影装置。
【請求項１４】
前記受光手段と前記撮影手段とが同一部材であることを特徴とする請求項１１ないし１３の何れか１項に記載の眼科撮影装置。
【請求項１５】
前記測光値算出手段により算出された時間的に連続する複数の測光値を記録する測光値記録手段と、
前記測光値算出手段により測光している対象の被検眼の左右眼または被検者が変わったことを検出する被検眼検出手段と、を有し、
前記測光値記録手段は、前記被検眼検出手段により左右眼または被検者が変わったことが検出された場合、記録した測光値を初期化することを特徴とする請求項１１ないし１４の何れか１項に記載の眼科撮影装置。
【請求項１６】
照明光学系を介して照明された被検眼からの戻り光を受ける受光手段の受光結果に基づいて、時間的に連続する複数の測光値を取得する工程と、
前記取得された時間的に連続する複数の測光値が所定範囲内である場合に、前記被検眼を撮影する撮影動作を許可する工程と、
を有することを特徴とする眼科撮影方法。
【請求項１７】
前記許可する工程において、前記取得された時間的に連続する複数の測光値が所定範囲内である場合に前記被検眼を撮影する撮影が許可されたか否かを判断し、前記撮影が許可されたと判断された場合に前記被検眼を撮影する撮影動作を開始するための指示の入力に応じて前記撮影動作を開始するための指示を出力することを特徴とする請求項１６に記載の眼科撮影方法。
【請求項１８】
照明光学系を介して照明された被検眼からの戻り光を受ける工程と、
時間的に連続する複数の測光値を取得する工程と、
前記取得された時間的に連続する複数の測光値が所定の範囲内の場合、該複数の測光値のうち少なくとも１つに基づいて、撮影光源の光量を決定する工程と、
前記決定された光量に基づいて、前記撮影光源を制御する工程と、
を有することを特徴とする眼科撮影方法。
【請求項１９】
被検眼を観察するための観察光源と被検眼を撮影するための撮影光源とを備えた眼科撮影装置の眼科撮影方法であって、
前記観察光源より照明された被検眼からの観察像を受光する工程と、
前記受光された観察像の測光値を算出する工程と、
前記算出された測光値に基づいて前記撮影光源の光量を制御する工程と、
検者による撮影操作に応じて、前記制御された前記撮影光源の光量で照明された被検眼からの撮影像を受光する工程と、
前記算出された時間的に連続する複数の測光値に基づいて、撮影動作を許可するか否かを判断する工程と、
を有することを特徴とする眼科撮影方法。
【請求項２０】
請求項１６ないし１９の何れか１項に記載の眼科撮影方法の各工程をコンピュータに実行させることを特徴とするプログラム。
【手続補正２】
【補正対象書類名】明細書
【補正対象項目名】発明の名称
【補正方法】変更
【補正の内容】
【発明の名称】眼科撮影装置、眼科撮影方法およびプログラム
【手続補正３】
【補正対象書類名】明細書
【補正対象項目名】０００１
【補正方法】変更
【補正の内容】
【０００１】
本発明は、例えば眼科医院や集団健診等で用いられる、被検眼を観察しながら画像記録を行う眼科撮影装置、眼科撮影方法およびプログラムに関するものである。
【手続補正４】
【補正対象書類名】明細書
【補正対象項目名】００１１
【補正方法】変更
【補正の内容】
【００１１】
本発明の眼科撮影装置は、照明光学系を介して照明された被検眼からの戻り光を受ける受光手段と、前記受光手段の受光結果に基づいて、時間的に連続する複数の測光値を取得する取得手段と、前記取得された時間的に連続する複数の測光値が所定範囲内である場合に、前記被検眼を撮影する撮影動作を許可する制御手段と、を有することを特徴とする。